(57)【要約】【課題】誘導先の放送サービスが受信不可能な場合であっても、ユーザに混乱を与えないように制御すること。【解決手段】受信装置は、放送サービスが受信可能であるか否かを判定する判定部と、選局中の第１の放送サービスから第２の放送サービスへ切り替えるか否かを、判定部により判定された前記第２の放送サービスが受信可能であるか否かの判定結果に基づいて制御する切替制御部と、を備える。【選択図】図６
2016208365.tif 000002
【特許請求の範囲】
【請求項１】
放送サービスが受信可能であるか否かを判定する判定部と、
選局中の第１の放送サービスから第２の放送サービスへ切り替えるか否かを、前記判定部により判定された前記第２の放送サービスが受信可能であるか否かの判定結果に基づいて制御する切替制御部と、
を備える受信装置。
【請求項２】
前記切替制御部は、
選局中の前記第１の放送サービスが未契約、且つ選局中の放送波に特定の記述子が含まれる場合に、選局中の前記第１の放送サービスから前記第２の放送サービスへ切り替えるか否かを制御する、
請求項１に記載の受信装置。
【請求項３】
前記切替制御部は、
選局中の前記第１の放送サービスが高度広帯域衛星デジタル放送の放送サービスであって、当該放送サービスが未契約、且つ選局中の放送波に特定の記述子が含まれる場合に、選局中の前記第１の放送サービスから前記第２の放送サービスへ切り替えるか否かを制御する、
請求項１に記載の受信装置。
【請求項４】
前記切替制御部は、
前記判定部により前記第２の放送サービスが受信可能であると判定された場合、前記第１の放送サービスから前記第２の放送サービスへ切り替え、前記判定部により前記第２の放送サービスが受信可能でないと判定された場合、前記第１の放送サービスから前記第２の放送サービスへ切り替えない、
請求項１から請求項３のいずれか一項に記載の受信装置。
【請求項５】
前記判定部により前記第２の放送サービスが受信可能であると判定された場合、前記第１の放送サービスから前記第２の放送サービスへの切り替えを許可する操作を受け付ける操作子を表示部に表示させる画面制御部と、
前記表示部に表示された前記操作子に対する操作を受け付ける操作入力部と、
を備え、
前記切替制御部は、
前記操作入力部が前記操作子に対する操作を受け付けた場合、前記第１の放送サービスから前記第２の放送サービスへ切り替える、
請求項１から請求項４のいずれか一項に記載の受信装置。
【請求項６】
前記第１の放送サービスから前記第２の放送サービスへの切り替えを許可する操作を受け付ける操作子を表示部に表示させる画面制御部と、
前記表示部に表示された前記操作子に対する操作を受け付ける操作入力部と、
を備え、
前記判定部は、
前記操作入力部が前記操作子に対する操作を受け付けた場合、前記第２の放送サービスが受信可能であるか否かを判定する、
請求項１から請求項４のいずれか一項に記載の受信装置。
【請求項７】
前記第１の放送サービスの放送波に、前記第１の放送サービスの契約に関する情報が含まれるリンク先を示す情報が含まれる場合、
前記切替制御部は、
前記判定部により前記第２の放送サービスが受信可能でないと判定された場合、通信ネットワークを介して接続される前記リンク先の情報に切り替える、
請求項１から請求項６のいずれか一項に記載の受信装置。
【請求項８】
選局中の第１の放送サービスが未契約、且つ選局中の放送波に特定の記述子が含まれる場合に、前記第１の放送サービスから第２の放送サービスへの切り替えを許可する操作を受け付ける操作子を表示部に表示させる画面制御部と、
前記表示部に表示された前記操作子に対する操作を受け付ける操作入力部と、
前記操作入力部が前記操作子に対する操作を受け付けた場合、前記第１の放送サービスから前記第２の放送サービスへ切り替える切替制御部と、
を備え、
前記画面制御部は、
前記切替制御部により前記第２の放送サービスへ切り替えられた場合、少なくとも前記第１の放送サービスに切り替える操作を受け付ける操作子を前記表示部に表示させる、
受信装置。
【請求項９】
受信装置における制御方法であって、
判定部が、放送サービスが受信可能であるか否かを判定する判定過程と、
切替制御部が、選局中の第１の放送サービスから第２の放送サービスへ切り替えるか否かを、前記判定部により判定された前記第２の放送サービスが受信可能であるか否かの判定結果に基づいて制御する切替制御過程と、
を含む制御方法。
【請求項１０】
受信装置における制御方法であって、
画面制御部が、選局中の第１の放送サービスが未契約、且つ選局中の放送波に特定の記述子が含まれる場合に、前記第１の放送サービスから第２の放送サービスへの切り替えを許可する操作を受け付ける操作子を表示部に表示させる画面制御過程と、
操作入力部が、前記表示部に表示された前記操作子に対する操作を受け付ける操作入力過程と、
切替制御部が、前記操作入力部が前記操作子に対する操作を受け付けた場合、前記第１の放送サービスから前記第２の放送サービスへ切り替える切替制御過程と、
前記画面制御部が、前記切替制御部により前記第２の放送サービスへ切り替えられた場合、少なくとも前記第１の放送サービスに切り替える操作を受け付ける操作子を前記表示部に表示させる画面制御過程と、
を含む制御方法。
【請求項１１】
コンピュータに、
放送サービスが受信可能であるか否かを判定する判定手順と、
選局中の第１の放送サービスから第２の放送サービスへ切り替えるか否かを、前記判定手順により判定された前記第２の放送サービスが受信可能であるか否かの判定結果に基づいて制御する切替制御手順と、
を実行させるためのプログラム。
【請求項１２】
コンピュータに、
選局中の第１の放送サービスが未契約、且つ選局中の放送波に特定の記述子が含まれる場合に、前記第１の放送サービスから第２の放送サービスへの切り替えを許可する操作を受け付ける操作子を表示部に表示させる画面制御手順と、
前記表示部に表示された前記操作子に対する操作を受け付ける操作入力手順と、
前記操作入力手順において、前記操作子に対する操作を受け付けた場合、前記第１の放送サービスから前記第２の放送サービスへ切り替える切替制御手順と、
前記切替制御手順により前記第２の放送サービスへ切り替えられた場合、少なくとも前記第１の放送サービスに切り替える操作を受け付ける操作子を前記表示部に表示させる画面制御手順と、
を実行させるためのプログラム。
【発明の詳細な説明】
【技術分野】
【０００１】
本発明は、受信装置、制御方法、及びプログラムに関する。
【背景技術】
【０００２】
未契約の受信装置でスクランブル放送サービス（有料チャンネルやコンテンツ保護されたチャンネル等）を選局した際に、契約案内を行っている「ご案内チャンネル」に誘導するＣＡ代替サービスと呼ばれるサービスがある（非特許文献１参照）。この「ご案内チャンネル」はノンスクランブル、もしくは、未契約でもデスクランブル可能な状態で放送されている。例えば、ＢＳデジタル放送の有料チャンネルやＣＳデジタル放送の有料チャンネルなどで、このＣＡ代替サービスが提供されている。
【先行技術文献】
【非特許文献】
【０００３】
【非特許文献１】一般社団法人  電波産業会、“ＡＲＩＢ  ＴＲ−Ｂ１５  ６．６版  ＢＳ／広帯域ＣＳデジタル放送運用規定”
【発明の概要】
【発明が解決しようとする課題】
【０００４】
従来、ＣＡ代替サービスは、ＢＳチャンネル内での誘導、またはＣＳチャンネル内での誘導であったが、今後ＢＳチャンネルからＣＳチャンネルへの誘導、またはＣＳチャンネルからＢＳチャンネルへの誘導が行われる可能性がある。この場合、受信機やアンテナ、分配器などの仕様により誘導先の放送サービスが受信不可能な場合があることが想定される。誘導先の放送サービスが受信不可能な場合には、「ご案内チャンネル」を表示することができず、代わりに放送を受信できないことを示す情報が表示されることになるが、この場合でも放送サービス自体が切り替わっており、ユーザに混乱を与える懸念がある。
【０００５】
本発明の一態様は、誘導先の放送サービスが受信不可能な場合であっても、ユーザに混乱を与えないように制御する受信装置、制御方法、及びプログラムを提供することを目的の一つとする。
【課題を解決するための手段】
【０００６】
本発明の一態様は、放送サービスが受信可能であるか否かを判定する判定部と、選局中の第１の放送サービスから第２の放送サービスへ切り替えるか否かを、前記判定部により判定された前記第２の放送サービスが受信可能であるか否かの判定結果に基づいて制御する切替制御部と、を備える受信装置である。
【０００７】
また、本発明の一態様は、上記受信装置において、前記切替制御部は、選局中の前記第１の放送サービスが未契約、且つ選局中の放送波に特定の記述子が含まれる場合に、選局中の前記第１の放送サービスから前記第２の放送サービスへ切り替えるか否かを制御する。
【０００８】
また、本発明の一態様は、上記受信装置において、前記切替制御部は、選局中の前記第１の放送サービスが高度広帯域衛星デジタル放送の放送サービスであって、当該放送サービスが未契約、且つ選局中の放送波に特定の記述子が含まれる場合に、選局中の前記第１の放送サービスから前記第２の放送サービスへ切り替えるか否かを制御する。
【０００９】
また、本発明の一態様は、上記受信装置において、前記切替制御部は、前記判定部により前記第２の放送サービスが受信可能であると判定された場合、前記第１の放送サービスから前記第２の放送サービスへ切り替え、前記判定部により前記第２の放送サービスが受信可能でないと判定された場合、前記第１の放送サービスから前記第２の放送サービスへ切り替えない。
【００１０】
また、本発明の一態様は、上記受信装置が、前記判定部により前記第２の放送サービスが受信可能であると判定された場合、前記第１の放送サービスから前記第２の放送サービスへの切り替えを許可する操作を受け付ける操作子を表示部に表示させる画面制御部と、前記表示部に表示された前記操作子に対する操作を受け付ける操作入力部と、を備え、前記切替制御部は、前記操作入力部が前記操作子に対する操作を受け付けた場合、前記第１の放送サービスから前記第２の放送サービスへ切り替える。
【００１１】
また、本発明の一態様は、上記受信装置が、前記第１の放送サービスから前記第２の放送サービスへの切り替えを許可する操作を受け付ける操作子を表示部に表示させる画面制御部と、前記表示部に表示された前記操作子に対する操作を受け付ける操作入力部と、を備え、前記判定部は、前記操作入力部が前記操作子に対する操作を受け付けた場合、前記第２の放送サービスが受信可能であるか否かを判定する。
【００１２】
また、本発明の一態様は、上記受信装置において、前記第１の放送サービスの放送波に、前記第１の放送サービスの契約に関する情報が含まれるリンク先を示す情報が含まれる場合、前記切替制御部は、前記判定部により前記第２の放送サービスが受信可能でないと判定された場合、通信ネットワークを介して接続される前記リンク先の情報に切り替える。
【００１３】
また、本発明の一態様は、選局中の第１の放送サービスが未契約、且つ選局中の放送波に特定の記述子が含まれる場合に、前記第１の放送サービスから第２の放送サービスへの切り替えを許可する操作を受け付ける操作子を表示部に表示させる画面制御部と、前記表示部に表示された前記操作子に対する操作を受け付ける操作入力部と、前記操作入力部が前記操作子に対する操作を受け付けた場合、前記第１の放送サービスから前記第２の放送サービスへ切り替える切替制御部と、を備え、前記画面制御部は、前記切替制御部により前記第２の放送サービスへ切り替えられた場合、少なくとも前記第１の放送サービスに切り替える操作を受け付ける操作子を前記表示部に表示させる、受信装置である。
【００１４】
また、本発明の一態様は、受信装置における制御方法であって、判定部が、放送サービスが受信可能であるか否かを判定する判定過程と、切替制御部が、選局中の第１の放送サービスから第２の放送サービスへ切り替えるか否かを、前記判定部により判定された前記第２の放送サービスが受信可能であるか否かの判定結果に基づいて制御する切替制御過程と、を含む制御方法である。
【００１５】
また、本発明の一態様は、受信装置における制御方法であって、画面制御部が、選局中の第１の放送サービスが未契約、且つ選局中の放送波に特定の記述子が含まれる場合に、前記第１の放送サービスから第２の放送サービスへの切り替えを許可する操作を受け付ける操作子を表示部に表示させる画面制御過程と、操作入力部が、前記表示部に表示された前記操作子に対する操作を受け付ける操作入力過程と、切替制御部が、前記操作入力部が前記操作子に対する操作を受け付けた場合、前記第１の放送サービスから前記第２の放送サービスへ切り替える切替制御過程と、前記画面制御部が、前記切替制御部により前記第２の放送サービスへ切り替えられた場合、少なくとも前記第１の放送サービスに切り替える操作を受け付ける操作子を前記表示部に表示させる画面制御過程と、を含む制御方法である。
【００１６】
また、本発明の一態様は、コンピュータに、放送サービスが受信可能であるか否かを判定する判定手順と、選局中の第１の放送サービスから第２の放送サービスへ切り替えるか否かを、前記判定手順により判定された前記第２の放送サービスが受信可能であるか否かの判定結果に基づいて制御する切替制御手順と、を実行させるためのプログラムである。
【００１７】
また、本発明の一態様は、コンピュータに、選局中の第１の放送サービスが未契約、且つ選局中の放送波に特定の記述子が含まれる場合に、前記第１の放送サービスから第２の放送サービスへの切り替えを許可する操作を受け付ける操作子を表示部に表示させる画面制御手順と、前記表示部に表示された前記操作子に対する操作を受け付ける操作入力手順と、前記操作入力手順において、前記操作子に対する操作を受け付けた場合、前記第１の放送サービスから前記第２の放送サービスへ切り替える切替制御手順と、前記切替制御手順により前記第２の放送サービスへ切り替えられた場合、少なくとも前記第１の放送サービスに切り替える操作を受け付ける操作子を前記表示部に表示させる画面制御手順と、を実行させるためのプログラムである。
【発明の効果】
【００１８】
本発明によれば、誘導先の放送サービスが受信不可能な場合であっても、ユーザに混乱を与えないように制御することができる。
【図面の簡単な説明】
【００１９】
【図１】第１の実施形態に係るデジタル放送システムの構成の一例を示すブロック図。
【図２】ＣＡ代替サービスにおける放送サービスの誘導を説明する図。
【図３】第１の実施形態に係るＣＡ代替サービスにおいて表示される表示画面例を示す図。
【図４】第１の実施形態に係る送信装置の構成の一例を示すブロック図。
【図５】リンク記述子の一例を示す図。
【図６】第１の実施形態に係る受信装置の構成の一例を示すブロック図。
【図７】第１の実施形態に係るＣＡ代替サービス処理の一例を示すフローチャート。
【図８】エラー画面の一例を示す図。
【図９】「ご案内チャンネル」で表示される契約案内画面の一例を示す図。
【図１０】第１の実施形態に係る高度広帯域放送時のＣＡ代替サービス処理の具体例を示すフローチャート。
【図１１】第２の実施形態に係る高度広帯域放送時のＣＡ代替サービス処理の一例を示すフローチャート。
【図１２】第２の実施形態に係る受信不良画面の一例を示す図。
【図１３】第３の実施形態に係る説明画面の一例を示す図。
【図１４】第３の実施形態に係る高度広帯域放送時のＣＡ代替サービス処理の一例を示すフローチャート。
【図１５】第４の実施形態に係る高度広帯域放送時のＣＡ代替サービス処理の一例を示すフローチャート。
【図１６】第５の実施形態に係るリンク記述子の一例を示す図。
【図１７】第５の実施形態に係る受信装置の構成の一例を示すブロック図。
【図１８】第２の実施形態のＣＡ代替サービス処理に契約ページ表示処理を適用した例を示すフローチャート。
【図１９】第３の実施形態のＣＡ代替サービス処理に契約ページ表示処理を適用した例を示すフローチャート。
【図２０】第４の実施形態のＣＡ代替サービス処理に契約ページ表示処理を適用した例を示すフローチャート。
【図２１】第５の実施形態に係る契約ページ表示処理の一例を示すフローチャート。
【図２２】第５の実施形態に係る表示確認画面の一例を示す図。
【図２３】第５の実施形態に係る契約ページ画面の一例を示す図。
【発明を実施するための形態】
【００２０】
以下、図面を参照して、本発明の実施の形態について説明する。
[第１の実施形態]
まず、本発明の第１の実施形態について説明する。
（デジタル放送システム１の概要）
図１は、本実施形態に係るデジタル放送システム１の概略構成の一例を示すブロック図である。図示するように、デジタル放送システム１は、送信装置１０と、放送衛星１５と、受信装置２０とを含んで構成されている。送信装置１０は、放送事業者が放送を行う放送局に備えられ、衛星デジタル放送による放送サービスを提供する。例えば、送信装置１０は、放送サービスとして、衛星デジタル放送の番組データの放送波をアンテナ１１により放送衛星１５に送信する。
【００２１】
放送衛星１５には、放送専用の放送衛星であるＢＳ（Ｂｒｏａｄｃａｓｔｉｎｇ  Ｓａｔｅｌｌｉｔｅ）と、通信に用いられる通信衛星であるＣＳ（Ｃｏｍｍｕｎｉｃａｔｉｏｎ  Ｓａｔｅｌｌｉｔｅ）とがある。ＢＳとＣＳのどちらを用いるかは、放送波の周波数帯域のグループに応じて予め定められている。ここでは、ＢＳの放送衛星１５（ＢＳ）とＣＳの放送衛星１５（ＣＳ）とを各１台ずつ図示しているが、放送衛星１５の種類や数はこれに限られるものではない。また、ＢＳ用の送信装置１０（ＢＳ）とＣＳ用の送信装置１０（ＣＳ）とを各１台ずつ図示しているが、各放送衛星１５を用いて放送する各送信装置１０の台数は一般的に複数である。なお、以下の説明では、ＢＳ用とＣＳ用とを特に区別しない場合には、単に送信装置１０及び放送衛星１５と称して説明する。
【００２２】
受信装置２０は、デジタル放送システム１において放送される放送波を受信する受信装置の一例である。ここでは、１台の受信装置２０を図示しているが、デジタル放送システム１には、複数の受信装置２０が含まれてよい。例えば、受信装置２０は、表示部２１８を備えたテレビジョン受像機（テレビ）である。受信装置２０は、放送衛星１５を介して送信装置１０から送信される放送波を、受信設備３０を介して受信し、受信した放送波に含まれる番組データをデコードして映像及び音声として出力する。
【００２３】
受信設備３０は、アンテナ３１と、ブースター３２と、分配器３３と、ケーブル３４と、コンセント３５とを含んで構成されている。アンテナ３１は、放送衛星１５から送信される放送波を受信し、受信した放送波をＩＦ信号（以下では、単に「受信信号」ともいう）に変換してブースター３２に出力する。例えば、アンテナ３１は、放送衛星１５の種類に応じて設計及び設置されており、種類によって受信可能な放送波と不可能な放送波とがあり得る。例えば、アンテナ３１は、ＢＳ用のアンテナ、ＣＳ用のアンテナ、またはＢＳ及びＣＳ兼用のアンテナなどのように放送波の種類に応じて対応または非対応のものがある。また、同じ種類の放送衛星１５（例えば、ＣＳ）であっても、衛星の位置が異なる場合には、異なるアンテナ３１を用意する必要がある。
【００２４】
ブースター３２は、入力された受信信号を増幅して出力する信号増幅器である。例えば、ブースター３２は、入力された受信信号を設定された利得で増幅して出力する。分配器３３は、ブースター３２から出力される受信信号を、インピーダンス整合が乱れないようにしながら複数の受信信号に分配する。ケーブル３４は、分配器３３から出力される受信信号をコンセント３５等を介して受信装置２０へ伝送する信号配線である。なお、ブースター３２、分配器３３、及びコンセント３５等も、ＢＳ用、ＣＳ用、またはＢＳ及びＣＳ兼用などのように放送波の種類に応じて対応または非対応のものがある。
【００２５】
ところで、送信装置１０から放送される放送サービスには、契約（なお、契約は登録等のことも含み、それらを含めて単に契約とも記述する）をしている場合のみスクランブルを解除して視聴できるスクランブル放送サービス（有料チャンネルやコンテンツ保護されたチャンネル等）もある。例えば、未契約の受信装置２０でスクランブル放送サービスを選局した場合には、契約案内を行っているプロモーション用の「ご案内チャンネル」に誘導するサービスがある。このサービスのことは、ＡＲＩＢ（Ａｓｓｏｃｉａｔｉｏｎ  ｏｆ  Ｒａｄｉｏ  Ｉｎｄｕｓｔｒｉｅｓ  ａｎｄ  Ｂｕｓｉｎｅｓｓｅｓ（一般社団法人  電波産業会））  ＴＲ−Ｂ１５において、「ＣＡ代替サービス」という呼称で規定されており、この呼称を用いて記述する。なお、スクランブル放送サービスには、有料チャンネルやコンテンツ保護されたチャンネル等があるが、以下では単に有料チャンネルと記述することがある。その記述の場合も、スクランブル放送サービスが単に有料チャンネルに限定されるものではない。
【００２６】
現行のＢＳ／ＣＳデジタル放送のＣＡ代替サービスでは、選局された未契約のスクランブル放送サービス（以下、「移動元の放送サービス」ともいう）から、「ご案内チャンネル」（以下、「移動先の放送サービス」ともいう）への誘導が、ＢＳチャンネル内、またはＣＳチャンネル内で行われる。しかしながら今後は、ＢＳチャンネルからＣＳチャンネルへの誘導、またはＣＳチャンネルからＢＳチャンネルへの誘導が行われる可能性がある。例えば、現在規格の検討中である高度広帯域衛星デジタル放送のＣＡ代替サービスでは、ＢＳチャンネルからＣＳチャンネルへの誘導、またはＣＳチャンネルからＢＳチャンネルへの誘導が行われることが考えられる。
【００２７】
ここで、高度広帯域衛星デジタル放送とは、標準テレビジョン放送等のうちデジタル放送に関する送信の標準方式（平成２３年総務省令第８７号）第５章第３節または第６章第５節に規定される高度広帯域伝送方式によるデジタル放送である。高度広帯域衛星デジタル放送におけるＢＳチャンネルとは、高度ＢＳデジタル放送によるＢＳチャンネルであり、高度広帯域衛星デジタル放送におけるＣＳチャンネルとは、高度広帯域ＣＳデジタル放送によるＣＳチャンネルである。高度ＢＳデジタル放送は、１１．７ＧＨｚを超え１２．２ＧＨｚ以下の周波数の電波を使用する放送衛星局の行う高度広帯域伝送方式によるデジタル放送である。高度広帯域ＣＳデジタル放送は、１２．２ＧＨｚを超え１２．７５ＧＨｚ以下の周波数の電波を使用する放送衛星局の行う高度広帯域伝送方式によるデジタル放送である。
なお、以下では、「高度広帯域衛星デジタル放送」のことを、省略して「高度広帯域放送」とも記述する。
【００２８】
図２は、ＣＡ代替サービスにおける放送サービスの誘導を説明する図である。この図において、「ＢＳ右旋」は、受信設備３０が受信する放送波が右旋回方向の偏波（右旋円偏波、右旋偏波）が用いられている現行のＢＳデジタル放送を示している。また、「ＣＳ右旋」は、受信設備３０が受信する放送波が右旋回方向の偏波（右旋円偏波、右旋偏波）が用いられている現行のＣＳデジタル放送を示している。一方、「ＢＳ左旋、高度ＢＳ」は、受信設備３０が受信する放送波が左旋回方向の偏波（左旋円偏波、左旋偏波）が用いられている高度ＢＳデジタル放送を示している。また、「ＣＳ左旋、高度広帯域ＣＳ」は、受信設備３０が受信する放送波が左旋回方向の偏波（左旋円偏波、左旋偏波）が用いられている高度広帯域ＣＳデジタル放送を示している。
【００２９】
図２（ａ）に示す例は、現行のＣＡ代替サービスで、ＢＳチャンネル内、またはＣＳチャンネル内で、移動元の放送サービスから移動先の放送サービスへの誘導が行わることを示している。図２（ｂ）に示す例は、高度広帯域放送のＣＡ代替サービスで、高度広帯域ＣＳデジタル放送のＣＳチャンネル内での誘導もあれば、例えば高度ＢＳデジタル放送のＢＳチャンネルから高度広帯域ＣＳデジタル放送のＣＳチャンネルへの誘導もあることを示している。なお、高度ＢＳデジタル放送のＢＳチャンネル内での誘導があってもよいし、高度広帯域ＣＳデジタル放送のＣＳチャンネルから高度ＢＳデジタル放送のＢＳチャンネルへの誘導もあってもよい。
【００３０】
ここで、図２（ａ）に示す例のように、ＢＳチャンネル内、またはＣＳチャンネル内の誘導の場合には、移動元の放送サービスが受信可能であれば移動先の放送サービスも受信可能である。それに対し、図２（ｂ）に示すように、ＢＳチャンネルからＣＳチャンネルへの誘導（或いはその逆）場合には、移動元の放送サービスが受信可能であっても、移動先の放送サービスが受信可能であるとは限らない。例えば、アンテナ３１、ブースター３２、分配器３３、及びコンセント３５等、または受信装置２０のいずれか一つ以上が移動先の放送サービスに非対応の場合には、受信装置２０は、移動先の放送サービスが受信不良となる。
【００３１】
図２（ｃ）に示す例は、高度広帯域放送のＣＡ代替サービスで、移動先の放送サービスが受信不良となった場合を示している。図示する例では、例えば、アンテナ３１及び受信装置２０は、高度広帯域放送に対応しているものであるが、ブースター３２、分配器３３、及びコンセント３５が従来品であるため、２６００ＭＨｚ以上の高周波数に非対応である場合を示している。この例では、移動元の放送サービスである高度ＢＳデジタル放送は受信可能であるが、高度ＢＳデジタル放送より周波数の高い高度広帯域ＣＳデジタル放送では受信不良になる場合がある。
【００３２】
ＣＡ代替サービスにおいて、移動先の放送サービスが受信可能であれば、移動先のサービスに移動してプロモーション用の「ご案内チャンネル」を表示することができる。しかし、移動先の放送サービスが受信不可能な場合には、移動先の放送サービスに移動はするが、プロモーション用の「ご案内チャンネル」を表示することができない。この場合、「ご案内チャンネル」が表示されないため、ユーザが、移動元の放送サービス（例えば、高度ＢＳデジタル放送のチャンネル）に戻そうとしても、ユーザが意図せずに移動先の放送サービス（例えば、高度広帯域ＣＳデジタル放送のチャンネル）に切り替わっているため、ユーザに混乱を与える懸念がある。そこで、本実施形態では、ＣＡ代替サービスにおいて、移動先の放送サービスに移動した後の画面に、移動元の放送サービスに戻るための操作ボタンを表示するように構成した。
【００３３】
以下、図３を参照して、本実施形態に係るＣＡ代替サービスにおいて表示される表示画面例を説明する。図３は、本実施形態に係るＣＡ代替サービスにおいて受信装置２０に表示される表示画面例を示す図である。符号Ｇ１０に示す画面は、未契約の高度ＢＳデジタル放送の有料チャンネル（即ち、移動元の放送サービス）が選局された場合に、受信装置２０が表示部１２８に表示する画面の一例である。この符号Ｇ１０に示す画面は、「ご案内チャンネル」（即ち、移動先の放送サービス）へ移動することの許可をユーザに確認する画面であり、以下、「移動確認画面Ｇ１０」ともいう。移動確認画面Ｇ１０には、この有料チャンネル（番組）を視聴するには契約が必要であることを通知する通知情報Ｋ１０と、「ご案内チャンネル」に切り替えることを許可するための操作ボタンＢ１０（「はい」）とが表示される。
【００３４】
移動確認画面Ｇ１０において操作ボタンＢ１０が押下されると、移動先の放送サービス（ここでは、高度広帯域ＣＳデジタル放送で提供される上記高度ＢＳデジタル放送の有料チャンネルの「ご案内チャンネル」）が受信可能である場合には、例えば、符号Ｇ２０に示す契約案内画面（以下、「契約案内画面Ｇ２０」ともいう）が表示される。図示する契約案内画面Ｇ２０には、チャンネル名や契約料金等の契約案内を示す契約案内情報Ｋ２０と、契約のための入力処理を行う契約画面に進むための操作ボタンＢ２０（「次へ」）が表示される。契約内容を示す情報には、高度ＢＳデジタル放送の有料チャンネルのチャンネル名（ここでは、「野球チャンネル」）と、その契約手続きを行う画面であること、及び視聴料金を示す情報等が含まれる。また、図示する契約案内画面Ｇ２０には、移動元の放送サービス（即ち、未契約の高度ＢＳデジタル放送の有料チャンネル）にチャンネルを切り替える（戻す）ための操作ボタンＢ２１（「戻る」）がさらに表示されている。
【００３５】
一方、移動先の放送サービス（ここでは、高度広帯域ＣＳデジタル放送で提供される上記高度ＢＳデジタル放送の有料チャンネルの「ご案内チャンネル」）が受信不可能である場合には、移動確認画面Ｇ１０において操作ボタンＢ１０が押下されると、例えば、符号Ｂ３０に示す受信不良画面（以下、「受信不良画面Ｇ３０」ともいう）が表示される。図示する受信不良画面Ｇ３０には、受信できないことを示すエラー情報や解決策の例を示すヘルプ情報（ここでは、「アンテナの接続を確認下さい」）等が含まれる警告情報Ｋ３０と、移動元の放送サービス（即ち、未契約の高度ＢＳデジタル放送の有料チャンネル）にチャンネルを切り替える（戻す）ための操作ボタンＢ２１（「戻る」）が表示される。
【００３６】
このように、本実施形態では、ＣＡ代替サービスにおいて、移動先の放送サービスに移動した場合に移動元の放送サービスに戻るための操作ボタンＢ２１が表示されるので、契約を行わない場合や、移動先の放送サービスが受信不良の場合でも、容易に移動元の放送サービスに戻ることができるので、ユーザに混乱を与えないようにすることができる。なお、上述の説明では、高度広帯域放送の場合を例として、本実施形態に係るＣＡ代替サービスを説明したが、高度広帯域放送の場合に限られるものではなく、他の放送サービス（例えば、現行のＢＳ／ＣＳデジタル放送）に、本実施形態に係るＣＡ代替サービスを適用してもよい。
【００３７】
なお、図３に示す例では、契約案内画面Ｇ２０にも、移動元の放送サービスにチャンネルを切り替える（戻す）ための操作ボタンＢ２１が表示される例を示したが、これに限られるものではない。操作ボタンＢ２１は、受信不良画面Ｇ３０に表示され、契約案内画面Ｇ２０には表示されなくてもよい。
【００３８】
以下、本実施形態に係るデジタル放送システム１の構成について詳しく説明する。
（送信装置１０の構成）
まず、図４を参照して、デジタル放送システム１が備える送信装置１０の構成について説明する。図４は、本実施形態に係る送信装置１０の構成の一例を示すブロック図である。図示する送信装置１０は、番組データ生成部１１１、構成データ生成部１１２、多重化部１１４、及び送信部１１５を含んで構成される。
【００３９】
番組データ生成部１１１は、放送番組を構成する映像を示す映像データと、放送番組を構成する音声を示す音声データとが含まれる番組データを取得する。例えば、番組データ生成部１１１は、入力された番組データについて所定の伝送方式、例えば、ＭＰＥＧ−２  ＴＳ（Ｔｒａｎｓｐｏｒｔ  Ｓｔｒｅａｍ）に変換し、変換した番組データをスクランブル部１１３に出力する。ＴＳは、複数のＴＳパケットから構成され、映像コンテンツ及び音声コンテンツを格納したＰＥＳ（Ｐａｃｋｅｔｉｚｅｄ  Ｅｌｅｍｅｎｔａｒｙ  Ｓｔｒｅａｍ）と、ＰＳＩ（Ｐｒｏｇｒａｍ  Ｓｐｅｃｉｆｉｃ  Ｉｎｆｏｒｍａｔｉｏｎ）及びＳＩの情報とが含まれる。
【００４０】
構成データ生成部１１２は、送信装置１０が送信する放送サービスや放送番組に関連する構成情報を取得し、取得した構成情報から所定の形式の構成データを生成し、生成した構成データをスクランブル部１１３に出力する。所定の形式の構成データは、例えば、ＰＳＩまたはＳＩに含まれる。ＰＳＩには、ＰＡＴ（Ｐｒｏｇｒａｍ  Ａｓｓｏｃｉａｔｉｏｎ  Ｔａｂｌｅ）、ＰＭＴ（Ｐｒｏｇｒａｍ  Ｍａｐ  Ｔａｂｌｅ）、ＣＡＴ（Ｃｏｎｄｉｔｉｏｎａｌ  Ａｃｃｅｓｓ  Ｔｉｍｅ）等が含まれる。また、ＳＩには、ＳＤＴ（Ｓｅｒｖｉｃｅ  Ｄｅｓｃｒｉｐｔｉｏｎ  Ｔａｂｌｅ）、ＥＩＤ（Ｅｖｅｎｔ  Ｉｎｆｏｒｍａｔｉｏｎ  Ｔａｂｌｅ）、ＴＤＴ（Ｔｉｍｅ  Ｄａｔｅ  Ｔａｂｌｅ）、ＴＯＴ（Ｔｉｍｅ  Ｏｆｆｓｅｔ  Ｔａｂｌｅ）等が含まれる。例えば、構成データには、スクランブル放送に関連する情報、ＣＡ代替サービスの有無を識別するためのリンク記述子等が含まれる。
【００４１】
例えば、構成データ生成部１１２は、スクランブル放送に関連する情報として、番組に関する情報と受信側の制御に関する情報等が含まれる共通情報であるＥＣＭ（Ｅｎｔｉｔｌｅｍｅｎｔ  Ｃｏｎｔｒｏｌ  Ｍｅｓｓａｇｅ）と、個人契約情報及びＥＣＭの暗号を解くための情報等が含まれる個別情報であるＥＭＭ（Ｅｎｔｉｔｌｅｍｅｎｔ  Ｍａｎａｇｅｍｅｎｔ  Ｍｅｓｓａｇｅ）を生成する。ＥＣＭには、ワーク鍵やスクランブル鍵等の共通情報が含まれ、ＥＭＭには、カードＩＤ等の個別情報や画面に表示されるメッセージ情報等が含まれる。
【００４２】
また、構成データ生成部１１２は、ＣＡ代替サービスの有無を識別するためのリンク記述子を生成する。図５は、リンク記述子の一例を示す図である。図示するリンク記述子（Ｌｉｎｋａｇｅ  ｄｅｓｃｒｉｐｔｏｒ）には、記述子を識別する識別タグ（ｄｅｓｃｒｉｐｔｏｒ＿ｔａｇ）及び記述子のデータ部分のバイト長を示す記述子長（ｄｅｓｃｒｉｐｔｏｒ＿ｌｅｎｇｔｈ）と、トランスポートストリーム識別（ｔｒａｎｓｐｏｒｔ＿ｓｔｒｅａｍ＿ｉｄ）、オリジナルネットワーク識別（ｏｒｉｇｉｎａｌ＿ｎｅｔｗｏｒｋ＿ｉｄ）、サービス識別（ｓｅｒｖｉｃｅ＿ｉｄ）、リンク種別（ｌｉｎｋａｇｅ＿ｔｙｐｅ）、及びプライベートデータ（ｐｒｉｖａｔｅ＿ｄａｔａ＿ｂｙｔｅ）とが含まれる。トランスポートストリーム識別は、指示されている情報サービスが含まれるトランスポートストリームを識別するものである。オリジナルネットワーク識別は、指示されている情報サービスの元の分配システムのネットワーク識別を規定するラベルの役割をするものである。サービス識別は、そのトランスポートストリーム内の情報サービスをユニークに識別するものである。リンク種別は、このリンク記述子のリンクの種別を示すものであり、例えば、「ｌｉｎｋａｇｅ＿ｔｙｐｅ＝０ｘ０３」の場合にＣＡ代替サービスを示す。プライベートデータは、リンクの種別ごとに個別に定義されており、ＣＡ代替サービスでは、移動確認画面Ｇ１０（図３参照）等に表示されるメッセージ等が格納される。また、ＣＡ代替サービスにおいて、上述したトランスポートストリーム識別とオリジナルネットワーク識別とサービス識別とは、移動先の放送サービスのチャンネル情報を示す。
【００４３】
図４に戻り、スクランブル部１１３は、番組データ生成部１１１から出力される映像データと音声データとが含まれる番組データ、及び構成データ生成部１１２から出力される構成データに対して、スクランブル鍵を用いてスクランブル処理を実行する。ここで、スクランブル部１１３は、スクランブル放送の放送番組の場合にはスクランブル処理を実行し、ノンスクランブル放送の放送番組の場合にはスクランブル処理を実行しないで、番組データ及び構成データを多重化部１１４に出力する。
【００４４】
多重化部１１４は、スクランブル部１１３から出力される番組データ、及び構成データを多重化して、所定の形式（例えば、ＴＬＶ（Ｔｙｐｅ  Ｌｅｎｇｔｈ  Ｖａｌｕｅ）形式）の多重化データを生成する。多重化部１１４は、生成した多重化データを送信部１１５に出力する。
【００４５】
送信部１１５は、多重化部１１４から出力された多重化データを、放送伝送路である放送衛星１５を介して受信装置２０に対して送信する。ここで、送信部１１５は、ベースバンド信号である多重化データを所定の変調方式で変調させて、搬送周波数に対応したチャンネル帯域の電波（放送波）をアンテナ１１により放射する。
【００４６】
（受信装置２０の構成）
次に、図６を参照して、デジタル放送システム１が備える受信装置２０の構成について説明する。図６は、本実施形態に係る受信装置２０の構成の一例を示すブロック図である。受信装置２０は、受信部２１１、分離部２１２、デスクランブル部２１３、音声復号部２１４、音声出力部２１５、映像復号部２１６、画面合成部２１７、表示部２１８、操作入力部２２１、カードＩＦ部２２２、記憶部２２５、及び制御部２３０を含んで構成されている。
【００４７】
受信部２１１は、送信装置１０から送信された放送波を、放送衛星１５を介して受信する。受信部２１１は、操作入力部２２１に入力された操作入力に基づいて選択された放送チャンネルに応じたチャンネル帯域の受信信号を受信し、送信装置１０の変調方式に応じた復調方式によってベースバンド信号である多重化データに復調する。そして、受信部２１１は、復調した多重化データを分離部２１２に出力する。なお、受信部２１１は、復調後または復調時に誤り訂正処理を行う。
【００４８】
分離部２２０は、受信部２１１から出力された多重化データを、音声データ、映像データ、及び構成データに分離する。また、分離部２２０は、分離した音声データ、映像データ、及び構成データをデスクランブル部２１３に出力する。
【００４９】
デスクランブル部２１３は、スクランブル放送の音声データ、映像データ、及び構成データに対してデスクランブル処理を実行する。例えば、デスクランブル部２１３は、受信装置２０に装着されたＩＣカード２５のカードＩＤを用いて、スクランブルされたＥＭＭ（個別情報）をデスクランブルしてワーク鍵を生成する。そして、デスクランブル部２１３は、生成したワーク鍵を用いてスクランブルされたＥＣＭ（共通情報）をデスクランブルしてスクランブル鍵を抽出し、抽出したスクランブル鍵を用いて、音声データ、映像データ、及びその他の構成データをデスクランブルする。デスクランブル部２１３は、デスクランブルした音声データ、映像データ、及び構成データのそれぞれを、音声復号部２１４、映像復号部２１６、及び制御部２３０のそれぞれに出力する。
なお、デスクランブル部２１３は、ノンスクランブル放送の音声データ、映像データ、及び構成データに対してはデスクランブル処理を実行しないで、音声復号部２１４、映像復号部２１６、及び制御部２３０のそれぞれに出力する。
【００５０】
音声復号部２１４には、デスクランブル部２１３から音声データが入力される。入力される音声データは、所定の音声符号化方式（例えば、ＭＰＥＧ−２  オーディオ）で符号化されたデータである。音声復号部２１４は、符号化に用いられた符号化方式と対応する復号方式で、入力された音声データを復号し、復号した音声データを生成する。復号した音声データは、各時刻における音声のレベルを示すデータである。音声復号部２１４は、復号した音声データを音声出力部２１５へ出力する。
音声出力部２１５は、音声復号部２１４から入力された音声データに基づいて音声を出力する。音声出力部２１５は、例えば、スピーカを含んで構成される。
【００５１】
映像復号部２１６には、デスクランブル部２１３から映像データが入力される。入力された映像データは、所定の映像符号化方式（例えば、ＭＰＥＧ２  ビデオ）で符号化されたデータである。映像復号部２１６は、符号化に用いられた符号化方式と対応する復号方式で、入力された映像データを復号し、復号した映像データを生成する。復号した映像データは、各時刻における映像（フレーム画像）を形成する信号値を示すデータである。映像復号部２１６は、復号した映像データを画面合成部２１７へ出力する。
【００５２】
画面合成部２１７には、映像復号部２１６から映像データが入力され、制御部２３０から画面データ（メッセージや操作ボタンが含まれる画面のデータ）が入力される。画面合成部２１７は、入力された映像データが示す映像と、画面データが示す画面とを合成して、表示データを生成する。画面合成部２１７は、合成により得られた表示データを表示部２１８へ出力する。
【００５３】
表示部２１８は、画面合成部２１７から表示データが入力される。表示部２１８は、入力された表示データに基づく表示画面を表示する。例えば、表示部２１８は、ノンスクランブル放送チャンネルの番組の映像が表示される表示画面や、未契約のスクランブル放送チャンネルが選局された際に表示される移動確認画面Ｇ１０等の表示画面を表示する。表示部２１８は、例えば、ディスプレイを含んで構成される。
【００５４】
操作入力部２２１は、ユーザの操作入力に応じて操作信号を取得し、取得した操作信号を制御部２３０へ出力する。操作入力部２２１は、操作入力を受け付けるための部材として、例えば、スイッチ、つまみ、リモコンからの赤外線信号を受け付ける赤外線の受光部、等の専用の部材を含んで構成されてもよいし、タッチセンサ等の汎用の部材を含んで構成されてもよい。また、操作入力部２２１は、リモート入力する入出力インタフェースを備えてもよい。
【００５５】
カードＩＦ部２２２は、ＩＣカード２５が装着されるカードスロットを備えており、装着されたＩＣカード２５と通信を行う。ＩＣカード２５は、受信装置２０に装着されて受信装置２０と通信を行うカードであり、固有のカードＩＤが格納されたＩＣチップが搭載されたカードである。
【００５６】
記憶部２２５は、各種のデータを記憶する。各種のデータとは、例えば、表示部２１８に表示させるための画面データである。記憶部２２５は、記憶媒体、例えば、ＨＤＤ（Ｈａｒｄ−ｄｉｓｋ  Ｄｒｉｖｅ）、フラッシュメモリ、ＲＯＭ（Ｒｅａｄ−ｏｎｌｙ  Ｍｅｍｏｒｙ）、ＲＡＭ（Ｒａｎｄｏｍ  Ａｃｃｅｓｓ  Ｍｅｍｏｒｙ）又はそれらの組み合わせを含んで構成される。
【００５７】
（制御部２３０の構成）
次に、制御部２３０の構成について説明する。制御部２３０は、判定部２３１と、切替制御部２３２と、画面制御部２３３と、選局部２３４とを備えている。
【００５８】
判定部２３１は、選局された放送サービスの種類（例えば、高度広帯域放送であるか否か）や放送番組の放送形態（例えば、スクランブル放送であるか否か）を判定する。また、判定部２３１は、スクランブル放送の放送チャンネルまたは放送番組が選択された場合、その放送チャンネルまたは放送番組が契約済であるか否かを判定する。また、未契約であった場合には、判定部２３１は、ＣＡ代替サービスが提供されているか否かを判定する。
【００５９】
また、判定部２３１は、各放送サービスが受信可能であるか否かを判定する。例えば、判定部２３１は、所定のタイミングで随時、放送サービスが受信可能であるか否かを判定する。ここで、所定のタイミングとは、例えば、１日に１回または複数回等のような予め設定されたタイミング、またはＣＡ代替サービスが利用されることに応じたタイミング等である。判定部２３１は、上記所定のタイミングのいずれかの時時で、例えばバックグランドで選局サーチを行って各放送サービスが受信可能であるか否かを判定する。そして、判定部２３１は、判定結果を切替制御部２３２及び画面制御部２３３に出力する。
【００６０】
切替制御部２３２は、判定部２３１の判定結果に基づいて、放送サービスを切り替える。例えば、切替制御部２３２は、判定部２３１の判定結果に基づいて、移動先の放送サービスを示す選局情報を生成し、生成した選局情報を選局部２３４に出力する。
【００６１】
画面制御部２３３は、表示部２１８に表示させる画面データを生成する。ここで、この画面データとは、番組データに含まれる映像データではなく、例えば移動確認画面Ｇ１０、契約案内画面Ｇ２０、及び受信不良画面Ｇ３０（図３参照）等のようにメッセージや操作ボタンが含まれる表示画面のデータである。画面制御部２３３は、生成した画面データを画面合成部２１７に出力する。
【００６２】
選局部２３４は、操作入力部２７０から制御部２３０に入力される操作信号（例えば、リモコン操作による選局を示す操作信号）に基づいて、ユーザにより選択された放送方式、チャンネル、番組等を示す選局指示情報を生成する。また、選局部２３４は、切替制御部２３２から出力された選局情報を取得し、取得した選局情報に基づいて、放送方式、チャンネル、番組等を示す選局指示情報を生成する。そして、選局部２３４は、生成した選局指示情報を受信部２１１に出力する。受信部２１１は、選局部２３４から出力される選局指示情報を取得すると、この選局指示情報に応じたチャンネル帯域の受信信号を受信する。
【００６３】
（ＣＡ代替サービス処理の動作）
次に、図７及び図１０を参照して、本実施形態に係る受信装置２０におけるＣＡ代替サービス処理の動作を説明する。以下では、高度広帯域放送ではない場合には、ＢＳチャンネル内での誘導によるＣＡ代替サービスが行われ、高度広帯域放送の場合にはＢＳチャンネルからＣＳチャンネルへの誘導によるＣＡ代替サービスが行われる例を説明する。
【００６４】
図７は、本実施形態に係るＣＡ代替サービス処理の一例を示すフローチャートである。
（ステップＳ１１０）受信装置２０において、ユーザがリモコン操作などによりＢＳチャンネル（放送サービス）を選局する。制御部２３０は、ユーザにより選局された放送サービスを示す選局指示情報を受信部２１１に送信する。受信部２１１は、選局指示情報に応じたチャンネル帯域の放送波を受信し、受信した多重化データに復調して分離部２２０に出力する。分離部２２０は、受信部２１１から出力された多重化データを、音声データ、映像データ、及び構成データに分離する。
【００６５】
（ステップＳ１１２）制御部２３０（判定部２３１）は、分離部２２０が分離した構成データに含まれるＥＣＭに基づいて、受信している放送サービスの契約状態等を判定する。例えば、制御部２３０は、受信している放送サービスがスクランブル放送であって、ＥＣＭ受信コマンドに対するＩＣカード２５からのリタ―ンコードに基づいて契約状態を判定する。制御部２３０は、受信している放送サービスの契約状態が、未契約であると判定した場合には、ステップＳ１１４に処理を進める。
【００６６】
（ステップＳ１３０）一方、制御部２３０は、ステップＳ１１２において、受信している放送サービスの契約状態が、契約済みであると判定した場合、または受信している放送サービスがノンスクランブル放送であると判定した場合には、受信処理を行う。例えば、制御部２３０は、受信している放送サービスがスクランブル放送であって、且つ契約済みであると判定した場合には、デスクランブル部２１３にデスクランブル処理を実行させる。また、制御部２３０は、受信している放送サービスがノンスクランブル放送であると判定した場合には、デスクランブル部２１３にデスクランブル処理を実行させない。これにより、受信装置２０は、スクランブル放送の場合にはスクランブルを解除した放送サービスの映像データと音声データを出力し、ノンスクランブル放送の場合には、スクランブルの解除をする必要が無く映像データと音声データを出力する。即ち、受信装置２０の表示部２１８には、選局されたチャンネル（放送サービス）の映像が表示される。これにより、ユーザは、選局したチャンネル（放送サービス）を視聴可能となる。
【００６７】
（ステップＳ１３２）また、制御部２３０は、ステップＳ１１２において、受信している放送サービスの契約状態が、未契約でも契約済みでもなく、且つ受信している放送サービスがノンスクランブル放送でもないと判定した（その他と判定した）とする。その他と判定する場合とは、例えば、選局されたチャンネルが受信不可能な状態である。この場合、制御部２３０は、受信不可処理を実行する。例えば、制御部２３０（画面制御部２３３）は、受信できないことを示す情報を通知するエラー画面を生成する。図８は、エラー画面の一例を示す図である。図示するエラー画面Ｇ３１には、例えば、受信できないことを示すエラー情報や解決策の例を示すヘルプ情報（ここでは、「アンテナの接続を確認下さい」）等が含まれる警告情報Ｋ３０が表示されている。このエラー画面Ｇ３１は、画面合成部２１７で映像データに合成され、表示部２１８に表示される。
【００６８】
（ステップＳ１１４）制御部２３０（判定部２３１）は、未契約の放送サービスが高度広帯域放送であるか否かを判定する。例えば、制御部２３０は、ユーザに選択されチャンネル（放送サービス）が高度広帯域放送の放送サービスであるか否かに基づいて判定する。なお、制御部２３０は、受信した放送波の構成データに含まれる放送サービスの放送方式を示す情報（例えば、ネットワーク情報等）に基づいて高度広帯域放送であるか否かを判定してもよい。
【００６９】
制御部２３０は、ステップＳ１１４において、未契約の放送サービスが高度広帯域放送であると判定した場合（ＹＥＳ）、ステップＳ２００に処理を進める。ステップＳ２００の処理は、高度広帯域放送時のＣＡ代替サービス処理であり、図１０を参照して後述する。
【００７０】
一方、制御部２３０は、ステップＳ１１４において、未契約の放送サービスが高度広帯域放送ではないと判定した場合（ＮＯ）、ステップＳ１１６に処理を進める。ステップＳ１１６以降の処理は、高度広帯域放送ではない場合、即ち、ＢＳチャンネル内での誘導またはＣＳチャンネル内での誘導が行われる場合のＣＡ代替サービス処理である。
【００７１】
（ステップＳ１１６）制御部２３０（判定部２３１）は、この未契約の放送サービスの構成データにリンク記述子の配置があるか否かを判定する。このリンク記述子とは、図５を参照して説明したリンク記述子であって、ＣＡ代替サービスのリンク記述子（「ｌｉｎｋａｇｅ＿ｔｙｐｅ＝０ｘ０３」のリンク記述子）のことである。制御部２３０は、このリンク記述子の配置がないと判定した場合には（ＮＯ）、ステップＳ１３２の受信不可処理を実行する。一方、制御部２３０は、このリンク記述子の配置があると判定した場合には（ＹＥＳ）、ステップＳ１１８に処理を進める。
【００７２】
（ステップＳ１１８）制御部２３０（画面制御部２３３）は、リンク記述子のプライベートデータに格納されているメッセージ情報等に基づいて、移動確認画面Ｇ１０（図３参照）を生成する。なお、プライベートデータにメッセージ情報等格納されていない場合には、制御部２３０は、記憶部２２５に記憶されているメッセージ情報（受信装置２０に内蔵されているメッセージ情報）に基づいて、移動確認画面Ｇ１０を生成してもよい。制御部２３０は、生成した移動確認画面Ｇ１０を、画面合成部２１７を介して表示部２１８に表示させる。即ち、表示部２１８には、「ご案内チャンネル」（移動先の放送サービス）へ移動することをユーザに確認（即ち、ユーザに契約の意思があるか否かの確認）するための移動確認画面Ｇ１０が表示される。
【００７３】
（ステップＳ１２０）制御部２３０（判定部２３１）は、ユーザが放送サービスの移動を許可したか否かを判定する。例えば、制御部２３０は、操作入力部２２１から取得した操作信号に基づいて、移動確認画面Ｇ１０の操作ボタンＢ１０（図３参照）が押下されたか否かにより、ユーザが放送サービスの移動を許可したか否かを判定する。制御部２３０は、ユーザが放送サービスの移動を拒否したと判定した場合、ステップＳ１３２の処理に進み、受信不可処理を実行する。例えば、制御部２３０は、操作ボタンＢ１０が押下されないまま所定の時間以上（例えば、５分以上）経過した場合に、ユーザが放送サービスの移動を拒否したと判定し、操作ボタンＢ１０を非表示としてもよい。また、移動確認画面Ｇ１０に操作ボタンＢ１０とは別に、放送サービスの移動を拒否するための操作ボタン（例えば、「いいえ」）が表示されてもよい。この場合、制御部２３０は、この拒否するための操作ボタンが押下された場合にユーザが放送サービスの移動を拒否したと判定する。
【００７４】
（ステップＳ１２２）制御部２３０は、ステップＳ１２０においてユーザが放送サービスの移動を許可したと判定した場合（即ち、操作ボタンＢ１０が押下された場合）、移動確認画面Ｇ１０の出力を停止し、リンク記述子で指定されている移動先の放送サービスに切り替える。
【００７５】
具体的には、判定部２３１によりユーザが放送サービスの移動を許可したと判定された場合、切替制御部２３２は、判定部２３１の判定結果に基づいて、リンク記述子で指定されている移動先の放送サービスを示す選局情報を生成し、生成した選局情報を選局部２３４に出力する。選局部２３４は、切替制御部２３２から出力された選局情報に基づいて選局指示情報を生成して受信部２１１に出力する。これにより、受信部２１１が受信する放送サービスが、移動先の放送サービスに切り替わる。ここでは、移動元の放送サービスがＢＳチャンネルであるため、移動先の放送サービス（即ち、「ご案内チャンネル」）もＢＳチャンネルであり且つノンスクランブル放送である。これにより、表示部２１８には、移動先の放送サービス（即ち、「ご案内チャンネル」）が表示される。図９は、この時に「ご案内チャンネル」で表示される契約案内画面の一例を示す図である。図示する契約案内画面Ｇ２１には、チャンネル名や契約料金等の契約案内を示す契約案内情報Ｋ２０と、契約のための入力処理を行う契約入力画面に進むための操作ボタンＢ２０（「次へ」）とが表示される。つまり、契約案内画面Ｇ２１は、操作ボタンＢ２１が表示されていない以外は図３に示す契約案内画面Ｇ２０と同様である。
【００７６】
（ステップＳ１２４）ユーザに契約の意思がある場合には、「ご案内チャンネル」においてユーザが契約の操作入力を行う。制御部２３０（判定部２３１）は、操作入力部２２１から取得した操作信号に基づいて、ユーザに契約の意思があるか否かを判定する。
【００７７】
（ステップＳ１２６）制御部２３０は、ステップ１２４において、ユーザに契約の意思があると判定した場合には（ＹＥＳ）、契約処理を実行する。これにより、移動元の放送サービス（即ち、ステップＳ１１０においてユーザが選局した放送サービス）の視聴が可能となる。
【００７８】
（ステップＳ１２８）一方、制御部２３０は、ステップ１２４において、ユーザに契約の意思がないと判定した場合（例えば、ユーザがさらに他の放送サービスに切り替えた場合）には（ＮＯ）、ＣＡ代替サービスの処理を終了する（例えば、ユーザが切り替えた放送サービスが選局される）。
【００７９】
（高度広帯域放送時のＣＡ代替サービス処理の動作）
次に、図１０を参照して、高度広帯域放送時のＣＡ代替サービス処理の動作について説明する。図１０は、本実施形態に係る高度広帯域放送時のＣＡ代替サービス処理（ステップＳ２００の処理）の具体例を示すフローチャートである。ここでは、移動元の放送サービスが高度ＢＳデジタル放送のＢＳチャンネルであるとする。
【００８０】
（ステップＳ２１６）制御部２３０（判定部２３１）は、未契約の放送サービスの構成データにＣＡ代替サービスのリンク記述子の配置があるか否かを判定する。制御部２３０は、このリンク記述子の配置がないと判定した場合には（ＮＯ）、ステップＳ１３２の受信不可処理を実行する。一方、制御部２３０は、このリンク記述子の配置があると判定した場合には（ＹＥＳ）、ステップＳ２１８に処理を進める。
【００８１】
（ステップＳ２１８）制御部２３０（画面制御部２３３）は、リンク記述子のプライベートデータに格納されているメッセージ情報等に基づいて、移動確認画面Ｇ１０（図３参照）を生成し、生成した移動確認画面Ｇ１０を、画面合成部２１７を介して表示部２１８に表示させる。
【００８２】
（ステップＳ２２０）制御部２３０（判定部２３１）は、移動確認画面Ｇ１０の操作ボタンＢ１０が押下されたか否かに基づいて、ユーザが放送サービスの移動を許可したか否かを判定する。制御部２３０は、ユーザが放送サービスの移動を拒否したと判定した場合、ステップＳ１３２の処理に進み、受信不可処理を実行する。
【００８３】
（ステップＳ２２２）制御部２３０は、ユーザが放送サービスの移動を許可したと判定した場合（即ち、操作ボタンＢ１０が押下された場合）、移動確認画面Ｇ１０の出力を停止し、リンク記述子で指定されている移動先の放送サービスに切り替える。
【００８４】
（ステップＳ２２４）制御部２３０（画面制御部２３３）は、移動元の放送サービスに戻るための操作ボタンＢ２１（図３参照）を生成して、画面合成部２１７を介して表示部２１８に表示させる。
【００８５】
ここで、例えば、移動元の放送サービスが高度ＢＳデジタル放送のＢＳチャンネルであり、リンク記述子に格納されている移動先の放送サービスを示す情報が高度広帯域ＣＳデジタル放送のＣＳチャンネルであるとする。この場合、ステップＳ１１０でユーザが選局した高度ＢＳデジタル放送が受信可能であっても、高度広帯域ＣＳデジタル放送も受信可能であるとは限らない。
【００８６】
（ステップＳ２２６）移動先の放送サービスが受信可能な場合には、表示部２１８には、移動先の放送サービス（即ち、「ご案内チャンネル」）と操作ボタンＢ２１（戻るボタン）とが合成された契約案内画面Ｇ２０（図３参照）が表示される。
これにより、ユーザは、契約案内画面Ｇ２０において、契約の意思がある場合には契約の操作を行うことができるとともに、契約の意思が無い場合には操作ボタンＢ２１に対する操作を行うのみで、移動元の放送サービスに戻すことができる。
【００８７】
（ステップＳ２２８）一方、移動先の放送サービスが受信不可能な場合には、表示部２１８には、受信できないことを示すエラー画面と操作ボタンＢ２１（戻るボタン）とが合成された受信不良画面Ｇ３０（図３参照）が表示される。
これにより、ユーザは、受信不良画面Ｇ３０が表示された場合、操作ボタンＢ２１に対する操作を行うのみで移動元の放送サービスに戻すことができる。
【００８８】
（ステップＳ２３０）契約案内画面Ｇ２０において、ユーザに契約の意思がある場合には、「ご案内チャンネル」においてユーザが契約の操作入力を行う。制御部２３０（判定部２３１）は、操作入力部２２１から取得した操作信号に基づいて、ユーザに契約の意思があるか否かを判定する。
【００８９】
（ステップＳ２３２）制御部２３０は、ステップＳ２３０において、ユーザに契約の意思があると判定した場合には（ＹＥＳ）、操作ボタンＢ２１（戻るボタン）の出力を停止し、契約処理を実行する。これにより、移動元の放送サービス（即ち、ステップＳ１１０においてユーザが選局した放送サービス）の視聴が可能となる。
【００９０】
（ステップＳ２３４）制御部２３０（判定部２３１）は、契約案内画面Ｇ２０または受信不良画面Ｇ３０において、操作ボタンＢ２１（戻るボタン）が押下されたか否かを判定する。なお、契約案内画面Ｇ２０において、操作ボタンＢ２１（戻るボタン）が押下される場合とは、ステップＳ２３０においてユーザに契約の意思があると判定されていない場合である（ＮＯ）。
【００９１】
（ステップＳ２３６）制御部２３０は、ステップＳ２３４において、操作ボタンＢ２１（戻るボタン）が押下されていないと判定された場合には（ＮＯ）、操作ボタンＢ２１（戻るボタン）と契約案内画面Ｇ２０または受信不良画面Ｇ３０との表示を継続する。一方、制御部２３０は、ステップＳ２３４において、操作ボタンＢ２１（戻るボタン）が押下されていないと判定された場合には（ＹＥＳ）、操作ボタンＢ２１（戻るボタン）の出力を停止し、移動元の放送サービスに切り替える（戻す）。即ち、図５のステップＳ１１０の処理で、ユーザにより選局された放送サービスと同じ放送サービスを受信する状態に戻る。
【００９２】
以上説明してきたように、本実施形態に係るデジタル放送システム１において、受信装置２０は、画面制御部２３３と、操作入力部２２１と、切替制御部２３２とを備えている。画面制御部２３３は、選局中の移動元の放送サービス（第１の放送サービスの一例）が未契約、且つ選局中の放送波に特定の記述子（例えば、リンク記述子）が含まれる場合に、移動元の放送サービスから移動先の放送サービス（第２の放送サービスの一例。例えば、「ご案内チャンネル」）への切り替えを許可する操作を受け付ける操作子（例えば、図３に示す移動確認画面Ｇ１０の操作ボタンＢ１０）を表示部２１８に表示させる。操作入力部２２１は、表示部２１８に表示された上記操作子（例えば、操作ボタンＢ１０）に対する操作を受け付ける。切替制御部２３２は、操作入力部２２１が上記操作子（例えば、操作ボタンＢ１０）に対する操作を受け付けた場合、移動元の放送サービスから移動先の放送サービスへ切り替える。
そして、画面制御部２３３は、切替制御部２３２により移動先の放送サービスへ切り替えられた場合、少なくとも移動元の放送サービスに切り替える操作を受け付ける操作子（例えば、図３に示す契約案内画面Ｇ２０または受信不良画面Ｇ３０の操作ボタンＢ２１）を表示部２１８に表示させる。
【００９３】
このように、受信装置２０は、未契約のスクランブル放送サービスがＣＡ代替サービスに対応している場合、移動先の放送サービス（例えば、「ご案内チャンネル」）へ切り替えるときには、移動元の放送サービスに戻るための操作子（例えば、操作ボタンＢ１０）を表示する。これにより、受信装置２０は、移動先の放送サービスが受信不可能な場合でも、ユーザが容易に移動元の放送サービスに戻ることができるように制御できる。よって、受信装置２０は、ＣＡ代替サービスにおいて、誘導先の放送サービスが受信不可能な場合であっても、ユーザに混乱を与えないように制御することができる。
【００９４】
[第２の実施形態]
次に、本発明の第２の実施形態について説明する。
本実施形態に係るデジタル放送システム１が備える送信装置１０及び受信装置２０の構成は、第１の実施形態と同様であるため、本実施形態において特徴的な処理について説明する。本実施形態では、受信装置２０は、ＣＡ代替サービスにおいて移動先の放送サービスが受信不可能な場合には移動先の放送サービスに切り替わらないように制御する。
【００９５】
本実施形態に係る受信装置２０では、制御部２３０の切替制御部２３２は、ＣＡ代替サービスにおいて、選局中の移動元の放送サービスから移動先の放送サービス（即ち、「ご案内チャンネル」）へ切り替えるか否かを、判定部２３１により判定された移動先の放送サービスが受信可能であるか否かの判定結果に基づいて制御する。
【００９６】
例えば、切替制御部２３２は、判定部２３１により移動先の放送サービスが受信可能であると判定された場合、移動元の放送サービスから移動先の放送サービスへ切り替える。一方、切替制御部２３２は、判定部２３１により移動先の放送サービスが受信可能でないと判定された場合、移動元の放送サービスから移動先の放送サービスへ切り替えない。
【００９７】
また、本実施形態では、移動確認画面Ｇ１０（図３参照）において、「ご案内チャンネル」に切り替えることを許可するための操作ボタンＢ１０に対する操作を操作入力部２２１が受け付けた場合、判定部２３１は、移動先の放送サービスが受信可能であるか否かを判定する。以下、本実施形態に係るＣＡ代替サービスの処理の動作について説明する。
【００９８】
本実施形態に係るＣＡ代替サービスの処理の動作は、図７に示す処理のうちのステップＳ２００の高度広帯域放送時のＣＡ代替サービス処理が異なるため、図１１を参照して、その処理について説明する。
図１１は、本実施形態に係る高度広帯域放送時のＣＡ代替サービス処理の一例を示すフローチャートである。ここでは、図１０の例と同様に、移動元の放送サービスが高度ＢＳデジタル放送のＢＳチャンネルであるとする。
【００９９】
（ステップＳ２１００）制御部２３０（判定部２３１）は、未契約の放送サービスの構成データにＣＡ代替サービスのリンク記述子の配置があるか否かを判定する。制御部２３０は、このリンク記述子の配置がないと判定した場合には（ＮＯ）、ステップＳ１３２の受信不可処理を実行する。一方、制御部２３０は、このリンク記述子の配置があると判定した場合には（ＹＥＳ）、ステップＳ２１０２に処理を進める。
【０１００】
（ステップＳ２１０２）制御部２３０（画面制御部２３３）は、リンク記述子のプライベートデータに格納されているメッセージ情報等に基づいて、移動確認画面Ｇ１０を（図３参照）生成し、生成した移動確認画面Ｇ１０を、画面合成部２１７を介して表示部２１８に表示させる。
【０１０１】
（ステップＳ２１０４）制御部２３０は、移動先の放送サービスをバックグランドで選局することにより受信可能であるか否かを判定する選局処理を開始する。なお、移動先の放送サービスをバックグランドで選局するため、例えば、移動確認画面Ｇ１０において、背景は映像なしで、音声出力もない。
【０１０２】
（ステップＳ２１０６）制御部２３０（判定部２３１）は、移動確認画面Ｇ１０の操作ボタンＢ１０が押下されたか否かに基づいて、ユーザが放送サービスの移動を許可したか否かを判定する。制御部２３０は、ユーザが放送サービスの移動を拒否したと判定した場合、ステップＳ１３２の処理に進み、受信不可処理を実行する。
【０１０３】
（ステップＳ２１０８）ステップＳ２１０６において、移動確認画面Ｇ１０の操作ボタンＢ１０が押下される前は（未入力）、制御部２３０は、ステップＳ２１０４で開始した選局処理において、移動先の放送サービスが受信可能であるか否かを判定する。受信可能と判定された場合、または選局処理が未完了である場合には、制御部２３０は、ステップＳ２１０６の処理に戻す。一方、受信不可能であると判定された場合、制御部２３０は、ステップＳ２１１４に処理を進める。
【０１０４】
（ステップＳ２１１０）ステップ２１０６において、ステップＳ２１０４で開始した選局処理の途中で、ユーザが放送サービスの移動を許可したと判定した場合（即ち、操作ボタンＢ１０が押下された場合）、制御部２３０は、移動確認画面Ｇ１０の出力を停止し、選局処理の完了を待つ。そして、制御部２３０は、選局処理が完了すると、ステップＳ２１１２に処理を進める。
【０１０５】
（ステップＳ２１１２）制御部２３０は、選局処理の結果により移動先の放送サービスが受信可能であると判定した場合、ステップＳ２１２２に処理を進める。以降のステップＳ２１２２、Ｓ２１２４、Ｓ２１２６、Ｓ２１２８の各処理は、図７のステップＳ１２２、Ｓ１２４、Ｓ１２６、Ｓ１２８の各処理と同様であり、契約案内画面Ｇ２１（図９参照）が表示部２１８に表示され、ユーザの契約の意思に応じた処理が行われる。一方、制御部２３０は、選局処理の結果により移動先の放送サービスが受信不可能であると判定した場合、ステップＳ２１１４に処理を進める。
【０１０６】
（ステップＳ２１１４）ステップＳ２１０８またはステップＳ２１１２において移動先の放送サービスが受信不可能であると判定された場合、制御部２３０（画面制御部２３３）は、「ご案内チャンネル」が受信不可能であることを示す受信不良画面を生成して、画面合成部２１７を介して表示部２１８に表示させる。図１２は、この時に生成される受信不良画面の一例を示す図である。図示する受信不良画面Ｇ４０には、この有料チャンネル（番組）を視聴するには契約または登録などが必要であること及び問合せ先等を通知する通知情報Ｋ４０と、「ご案内チャンネル」を受信できないことを示すエラー情報Ｋ４１が表示されている。
【０１０７】
以上説明したように、本実施形態に係るデジタル放送システム１において、受信装置２０は、判定部２３１と、切替制御部２３２とを備えている。判定部２３１は、放送サービスが受信可能であるか否かを判定する。切替制御部２３２は、選局中の移動元の放送サービス（第１の放送サービスの一例）から移動先の放送サービス（第２の放送サービスの一例。例えば、「ご案内チャンネル」）へ切り替えるか否かを、判定部２３１により判定された移動先の放送サービスが受信可能であるか否かの判定結果に基づいて制御する。これにより、受信装置２０は、移動先の放送サービス（例えば、ＣＳチャンネル）の受信状態に基づいて、移動元の放送サービス（例えば、ＢＳチャンネル）から移動先の放送サービス（例えば、ＣＳチャンネル）への切り替えを適切に制御できる。よって、受信装置２０は、誘導先の放送サービスが受信不可能な場合であっても、ユーザに混乱を与えないように制御することができる。
【０１０８】
例えば、切替制御部２３２は、選局中の移動元の放送サービスが未契約、且つ選局中の放送波に特定の記述子（例えば、リンク記述子）が含まれる場合に、選局中の移動元の放送サービスから移動先の放送サービスへ切り替えるか否かを制御する。これにより、受信装置２０は、選局中の放送サービスが未契約のスクランブル放送サービス（例えば、ＢＳチャンネル）であって、その放送波にＣＡ代替サービスのリンク記述子が含まれる場合、ＣＡ代替サービスにより提供される「ご案内チャンネル」（例えば、ＣＳチャンネル）の受信状態に基づいて、スクランブル放送サービスから「ご案内チャンネル」への切り替えを適切に制御できる。
【０１０９】
一例として、切替制御部２３２は、選局中の移動元の放送サービスが高度広帯域放送の放送サービスであって、当該放送サービスが未契約、且つ選局中の放送波に特定の記述子（例えば、リンク記述子）が含まれる場合に、選局中の移動元の放送サービスから移動先の放送サービスへ切り替えるか否かを制御する。これにより、受信装置２０は、選局中の放送サービスが未契約の高度広帯域放送のスクランブル放送サービス（例えば、高度ＢＳチャンネル）であって、その放送波にＣＡ代替サービスのリンク記述子が含まれる場合、ＣＡ代替サービスにより提供される「ご案内チャンネル」（例えば、高度広帯域ＣＳチャンネル）の受信状態に基づいて、スクランブル放送サービスから「ご案内チャンネル」への切り替えを適切に制御できる。
【０１１０】
具体的には、切替制御部２３２は、判定部２３１により移動先の放送サービスが受信可能であると判定された場合、移動元の放送サービスから移動先の放送サービスへ切り替える。一方、切替制御部２３２は、判定部２３１により移動元の放送サービスが受信可能でないと判定された場合、移動元の放送サービスから移動先の放送サービスへ切り替えない。これにより、受信装置２０は、例えば、選局中のスクランブル放送サービス（例えば、ＢＳチャンネル）が未契約の場合、ＣＡ代替サービスにより提供される「ご案内チャンネル」（例えば、ＣＳチャンネル）が受信可能なときにのみ「ご案内チャンネル」に切り換えることができる。よって、本実施形態では、「ご案内チャンネル」が受信不可能な場合に放送サービスが切り替わってしまう（例えば、ＢＳからＣＳに切り替わってしまう）ことがない。したがって、受信装置２０は、誘導先の放送サービスが受信不可能な場合であっても、ユーザに混乱を与えないように制御することができる。
【０１１１】
また、受信装置２０は、画面制御部２３３と、操作入力部２２１とをさらに備えている。画面制御部２３３は、移動元の放送サービスから移動先の放送サービスへの切り替えを許可する操作を受け付ける操作子（例えば、図３に示す移動確認画面Ｇ１０の操作ボタンＢ１０）を表示部２１８に表示させる。操作入力部２２１は、表示部２１８に表示された上記操作子（例えば、操作ボタンＢ１０）に対する操作を受け付ける。そして、判定部２３１は、操作入力部２２１が上記操作子（例えば、操作ボタンＢ１０）に対する操作を受け付けた場合、移動先の放送サービスが受信可能であるか否かを判定する。即ち、本実施形態で移動先の放送サービスの受信状態を確認する所定のタイミングは、選局中の未契約のスクランブル移動サービスにリンク記述子が含まれていると判定したことに応じたタイミングである。これにより、受信装置２０は、ユーザにより「ご案内チャンネル」への切り替えが許可されたタイミングで、「ご案内チャンネル」の受信状態を確認するため、現在の受信状態に基づいて「ご案内チャンネル」が受信可能であるか否かを確実に判定できる。なお、図１１のステップＳ２１０２の移動確認画面Ｇ１０を表示する処理と、ステップＳ２１０４の移動先の放送サービスの受信状態を確認するための選局開始の処理との順序を入れ換えてもよいし、同時であってもよい。
【０１１２】
[第３の実施形態]
次に、本発明の第３の実施形態について説明する。
本実施形態では、ＣＡ代替サービスにおいて移動先の放送サービスが受信可能な場合のみ移動確認画面Ｇ１０（図３参照）が表示される構成である。なお、本実施形態では、移動先の放送サービスが受信不可能な場合には移動確認画面Ｇ１０が表示されないため、第２の実施形態と同様に、移動先の放送サービスが受信不可能な場合には移動先の放送サービスに切り替わらない。
【０１１３】
例えば、受信装置２０は、移動確認画面Ｇ１０を表示する前に、選局されたチャンネル（番組）を視聴するには契約が必要であることを説明する説明画面を表示してから、移動先の放送サービスが受信可能であるか否かを判定する。図１３は、この時に表示される説明画面の一例を示す図である。図示する説明画面Ｇ５０には、例えば、この有料チャンネル（番組）を視聴するには契約または登録などが必要であること及び問合せ先等を説明する説明情報Ｋ５０が表示されている。
【０１１４】
次に、本実施形態に係るＣＡ代替サービスの処理の動作について説明する。本実施形態に係るＣＡ代替サービスの処理の動作は、図７に示す処理のうちのステップＳ２００の高度広帯域放送時のＣＡ代替サービス処理が異なるため、図１４を参照して、その処理について説明する。
図１４は、本実施形態に係る高度広帯域放送時のＣＡ代替サービス処理の一例を示すフローチャートである。ここでは、図１０及び図１１の例と同様に、移動元の放送サービスが高度ＢＳデジタル放送のＢＳチャンネルであるとする。
【０１１５】
（ステップＳ２２００）制御部２３０（判定部２３１）は、未契約の放送サービスの構成データにＣＡ代替サービスのリンク記述子の配置があるか否かを判定する。制御部２３０は、このリンク記述子の配置がないと判定した場合には（ＮＯ）、ステップＳ１３２の受信不可処理を実行する。一方、制御部２３０は、このリンク記述子の配置があると判定した場合には（ＹＥＳ）、ステップＳ２２０２に処理を進める。
【０１１６】
（ステップＳ２２０２）制御部２３０（画面制御部２３３）は、リンク記述子のプライベートデータに格納されているメッセージ情報等に基づいて、説明画面Ｇ５０を（図３参照）生成し、生成した説明画面Ｇ５０を、画面合成部２１７を介して表示部２１８に表示させる。
【０１１７】
（ステップＳ２２０４）制御部２３０は、移動先の放送サービスをバックグランドで選局することにより受信可能であるか否かを判定する選局処理を開始する。なお、移動先の放送サービスをバックグランドで選局するため、例えば、説明画面Ｇ５０において、背景は映像なしで、音声出力もない。
【０１１８】
（ステップＳ２２０６）制御部２３０は、ステップＳ２２０４において開始した選局処理の完了を待つ。そして、制御部２３０は、選局処理が完了すると、ステップＳ２２０８に処理を進める。
【０１１９】
（ステップＳ２２０８）制御部２３０は、選局処理の結果により移動先の放送サービスが受信不可能であると判定した場合、ステップＳ２２１０に処理を進める。一方、制御部２３０は、選局処理の結果により移動先の放送サービスが受信可能であると判定した場合、ステップＳ２２１２に処理を進める。
【０１２０】
（ステップＳ２２１０）ステップＳ２２０８において移動先の放送サービスが受信不可能であると判定された場合、制御部２３０（画面制御部２３３）は、説明画面Ｇ５０の出力を停止して、「ご案内チャンネル」が受信不可能であることを示す受信不良画面Ｇ４０（図１２参照）を生成する。そして、制御部２３０は、生成した受信不良画面Ｇ４０を画面合成部２１７を介して表示部２１８に表示させる。これにより、説明画面Ｇ５０から受信不良画面Ｇ４０に表示が変更される。
【０１２１】
（ステップＳ２２１２）ステップＳ２２０８において移動先の放送サービスが受信可能であると判定された場合、制御部２３０は、制御部２３０（画面制御部２３３）は、説明画面Ｇ５０の出力を停止して、移動確認画面Ｇ１０（図３参照）を生成する。そして、制御部２３０は、生成した移動確認画面Ｇ１０を画面合成部２１７を介して表示部２１８に表示させる。これにより、説明画面Ｇ５０から移動確認画面Ｇ１０に表示が変更される。
【０１２２】
ステップＳ２２１２において移動確認画面Ｇ１０が表示された後、以降のステップＳ２１２０、Ｓ２１２２、Ｓ２１２４、Ｓ２１２６、Ｓ２１２８の各処理は、図７のステップＳ１２０、Ｓ１２２、Ｓ１２４、Ｓ１２６、Ｓ１２８の各処理と同様であり、その説明を省略する。
【０１２３】
以上説明したように、本実施形態に係る受信装置２０において、画面制御部２３３は、判定部２３１により移動先の放送サービス（第２の放送サービスの一例。例えば、「ご案内チャンネル」）が受信可能であると判定された場合、移動元の放送サービス（第１の放送サービスの一例）から移動先の放送サービスへの切り替えを許可する操作を受け付ける操作子（例えば、図３に示す移動確認画面Ｇ１０の操作ボタンＢ１０）を表示部２１８に表示させる。操作入力部２２１は、表示部２１８に表示された上記操作子（例えば、操作ボタンＢ１０）に対する操作を受け付ける。そして、切替制御部２３２は、操作入力部２２１が上記操作子（例えば、操作ボタンＢ１０）に対する操作を受け付けた場合、移動元の放送サービスから移動先の放送サービスへ切り替える。このように、受信装置２０は、「ご案内チャンネル」が受信可能な場合のみ、移動確認画面Ｇ１０を表示してユーザの「ご案内チャンネル」への移動を許可する操作を受け付ける。そのため、受信装置２０は、「ご案内チャンネル」が受信不可能であるにもかかわらず移動確認画面Ｇ１０を表示してしまうことがなく、ユーザに混乱を与えないように制御できる。
【０１２４】
なお、本実施形態では、移動先の放送サービスの受信状態を確認する所定のタイミングは、第２の実施形態と同様に、選局中の未契約のスクランブル移動サービスにリンク記述子が含まれていると判定したことに応じたタイミングである。なお、図１４のステップＳ２２０２の説明画面Ｇ５０を表示する処理と、ステップＳ２２０４の移動先の放送サービスの受信状態を確認するための選局開始の処理とは順序を入れ換えてもよいし、同時であってもよい。
【０１２５】
[第４の実施形態]
次に、本発明の第４の実施形態について説明する。本実施形態は、第３の実施形態と同様に、ＣＡ代替サービスにおいて移動先の放送サービスが受信可能な場合のみ移動確認画面Ｇ１０（図３参照）が表示される構成である。第３の実施形態では、ＣＡ代替サービス処理の中で移動先の放送サービスが受信可能であるか否かが判定されたが、本実施形態では、ＣＡ代替サービス処理のタイミングに係わらない他の所定のタイミングで随時に、移動先の放送サービスが受信可能であるか否かが判定される。
【０１２６】
例えば、ＣＡ代替サービス処理のタイミングに係わらない他の所定のタイミングとは、毎日決められた時間に１回または複数回等である。なお、この所定のタイミングは、例えば、毎時、３時間毎、番組が切り替わるタイミング等のように任意に定められてもよい。また、このＣＡ代替サービス処理のタイミングに係わらない他の所定のタイミングでは、移動元の放送サービスが選局されていないので、受信装置２０は、各有料チャンネルに対応する「ご案内チャンネル」が複数ある場合には複数の移動先の放送サービスについて、受信可能であるか否かの判定をしておく。そして、受信装置２０は、判定した各放送サービスについての受信可能であるか否かの判定結果を記憶しておき、ＣＡ代替サービス処理を行うときに読み出して利用する。
【０１２７】
次に、本実施形態に係るＣＡ代替サービスの処理の動作について説明する。本実施形態に係るＣＡ代替サービスの処理の動作は、図７に示す処理のうちのステップＳ２００の高度広帯域放送時のＣＡ代替サービス処理が異なるため、図１５を参照して、その処理について説明する。
図１５は、本実施形態に係る高度広帯域放送時のＣＡ代替サービス処理の一例を示すフローチャートである。ここでは、図１０、図１１、及び図１４の例と同様に、移動元の放送サービスが高度ＢＳデジタル放送のＢＳチャンネルであるとする。また、制御部２３０は、所定のタイミング（例えば、毎日決められた時間に１回）で判定した受信状態の判定結果を記憶部２２５に記憶させているものとする。
【０１２８】
（ステップＳ２３００）制御部２３０（判定部２３１）は、未契約の放送サービスの構成データにＣＡ代替サービスのリンク記述子の配置があるか否かを判定する。制御部２３０は、このリンク記述子の配置がないと判定した場合には（ＮＯ）、ステップＳ１３２の受信不可処理を実行する。一方、制御部２３０は、このリンク記述子の配置があると判定した場合には（ＹＥＳ）、ステップＳ２３０２に処理を進める。
【０１２９】
（ステップＳ２３０２）制御部２３０は、移動先の放送サービスの受信状態の判定結果を記憶部２２５から読み出す。
（ステップＳ２３０４）制御部２３０は、読み出した判定結果において、移動先の放送サービスが受信不可能である判定されていた場合、ステップＳ２３０６に処理を進める。一方、制御部２３０は、読み出した判定結果において、移動先の放送サービスが受信可能であると判定されていた場合、ステップＳ２２３０８に処理を進める。
【０１３０】
（ステップＳ２３０６）ステップＳ２３０４において移動先の放送サービスが受信不可能であると判定されていた場合、制御部２３０（画面制御部２３３）は、「ご案内チャンネル」が受信不可能であることを示す受信不良画面Ｇ４０（図１２参照）を生成し、生成した受信不良画面Ｇ４０を画面合成部２１７を介して表示部２１８に表示させる。
【０１３１】
（ステップＳ２３０８）ステップＳ２２０８において移動先の放送サービスが受信可能であると判定されていた場合、制御部２３０は、制御部２３０（画面制御部２３３）は、移動確認画面Ｇ１０（図３参照）を生成し、生成した移動確認画面Ｇ１０を画面合成部２１７を介して表示部２１８に表示させる。
【０１３２】
ステップＳ２３０８において移動確認画面Ｇ１０が表示された後、以降のステップＳ２３２０、Ｓ２３２２、Ｓ２３２４、Ｓ２３２６、Ｓ２３２８の各処理は、図７のステップＳ１２０、Ｓ１２２、Ｓ１２４、Ｓ１２６、Ｓ１２８の各処理と同様であり、その説明を省略する。
【０１３３】
以上説明したように、本実施形態では、移動先の放送サービスの受信状態を確認する所定のタイミングは、例えば毎日決められた時間に１回または複数回等のように、ＣＡ代替サービス処理のタイミングに係わらない他の所定のタイミングである。受信装置２０は、ＣＡ代替サービス処理のタイミングに係わらない他の所定のタイミングで判定した各放送サービスについての受信状態の判定結果を記憶しておき、ＣＡ代替サービス処理を行うときに読み出して利用する。
【０１３４】
例えば、画面制御部２３３は、判定部２３１により事前に判定された移動先の放送サービス（第２の放送サービスの一例）の受信状態の判定結果に基づいて、移動先の放送サービスが受信可能であると判定されていた場合、移動元の放送サービス（第１の放送サービスの一例）から移動先の放送サービスへの切り替えを許可する操作を受け付ける操作子（例えば、図３に示す移動確認画面Ｇ１０の操作ボタンＢ１０）を表示部２１８に表示させる。つまり、受信装置２０は、「ご案内チャンネル」が受信可能な場合のみ、移動確認画面Ｇ１０を表示してユーザの「ご案内チャンネル」への移動を許可する操作を受け付ける。そのため、本実施形態に係る受信装置２０は、第３の実施形態と同様に「ご案内チャンネル」が受信不可能であるにもかかわらず移動確認画面Ｇ１０を表示してしまうことがなく、ユーザに混乱を与えないように制御できる。また、本実施形態では、受信装置２０は、ＣＡ代替サービス処理の前に確認しておいた移動先の放送サービスの受信状態の判定結果を利用するため、ＣＡ代替サービス処理において受信状態を判定する処理の待ち時間が発生せず、利便性のよいＣＡ代替サービスをユーザに提供できる。
【０１３５】
[第５の実施形態]
次に、本発明の第５の実施形態について説明する。
本実施形態では、移動先の放送サービスが受信不可能な場合には、Ｗｅｂページに通信ネットワークを介して接続して表示する構成について説明する。このＷｅｂページは、例えば、「ご案内チャンネル」において行う視聴の契約（または登録）と同様のことを行うことのできる、放送サービスの契約に関する情報が記載されているＷｅｂページである。以下の説明では、この放送サービスの契約に関する情報が記載されているＷｅｂページを「契約ページ」ともいう。
【０１３６】
図１６は、本実施形態に係るリンク記述子の一例を示す図である。図示するリンク記述子は、図５に示すリンク記述子に対して、ＵＲＬ（Ｕｎｉｆｏｒｍ  Ｒｅｓｏｕｒｃｅ  Ｌｏｃａｔｏｒ）を指定できるように符号ｆ１０に示す箇所が定義されている。有料チャンネル毎のリンク記述子に、放送サービスの契約に関する情報が記載されている契約ページのＵＲＬを記載することができる。なお、ＵＲＬ長（ＵＲＬ＿ｌｅｎｇｔ）が０の場合にはＵＲＬの記載なしと解釈される。
【０１３７】
図１７は、本実施形態に係る受信装置２０Ａの構成の一例を示すブロック図である。
受信装置２０Ａは、通信ネットワークに接続するための通信部２２３を備えている点と制御部２３０Ａの構成とが、図６に示す受信装置２０の構成と異なる。図１７において、図６の各部に対応する構成には同じ符号を付しており、その説明を省略する。
【０１３８】
通信部２２３は、例えば、複数のイーサネット（登録商標）ポートや複数のＵＳＢ（Ｕｎｉｖｅｒｓａｌ  Ｓｅｒｉａｌ  Ｂｕｓ）等のデジタル入出力ポート等を含んで構成され、通信ネットワークを介して接続されるサーバ装置（例えば、契約ページを提供するＷｅｂサーバ）と通信を行う。通信ネットワークは、ＷＡＮ（Ｗｉｄｅ  Ａｒｅａ  Ｎｅｔｗｏｒｋ）、ＬＡＮ（Ｌｏｃａｌ  Ａｒｅａ  Ｎｅｔｗｏｒｋ）等によって構成される情報通信ネットワークである。ＷＡＮは、例えば、携帯電話網、ＰＨＳ（Ｐｅｒｓｏｎａｌ  Ｈａｎｄｙ−ｐｈｏｎｅ  Ｓｙｓｔｅｍ）網、ＰＳＴＮ（Ｐｕｂｌｉｃ  Ｓｗｉｔｃｈｅｄ  Ｔｅｌｅｐｈｏｎｅ  Ｎｅｔｗｏｒｋ；公衆交換電話網）、専用通信回線網、ＶＰＮ（Ｖｉｒｔｕａｌ  Ｐｒｉｖａｔｅ  Ｎｅｔｗｏｒｋ）等によって構成される。
【０１３９】
制御部２３０Ａは、判定部２３１と、切替制御部２３２と、画面制御部２３３と、選局部２３４と、ブラウザ部２３５とを備えており、ブラウザ部２３５を備えている点が、図６に示す制御部２３０の構成と相違する。
ブラウザ部２３５は、指定したＵＲＬのリンク先の契約ページを、通信部２２３を介して取得して表示するためのブラウザ機能を有している。ブラウザ部２３５が取得する契約ページは、画面制御部２３３及び画面合成部２１７を介して表示部２１８に表示される。
【０１４０】
移動元の放送サービスの放送波に含まれるリンク記述子に、移動元の放送サービスの契約に関する情報としてＵＲＬ（リンク先を示す情報）が含まれる場合、切替制御部２３２は、判定部２３１により移動先の放送サービスが受信不可能であると判定されたときには、ブラウザ部２３５のブラウザ機能を利用して、通信ネットワークを介して接続されるＵＲＬの情報に切り替える。これにより、移動先の放送サービスが受信不可能であって「ご案内チャンネル」が表示されない場合であっても、ユーザは契約ページから契約を行うことができる。
なお、切替制御部２３２は、判定部２３１により移動先の放送サービスが受信可能であると判定された場合には、選局部２３４を介して移動先の放送サービスに切り替える。
【０１４１】
次に、本実施形態に係るＣＡ代替サービスの処理の動作について説明する。本実施形態において、移動先の放送サービスが受信不可能な場合に契約ページを表示する契約ページ表示処理は、第２〜第４の実施形態のそれぞれに適用することができる。以下、図１８〜図２０を参照して、第２〜第４の実施形態のそれぞれのＣＡ代替サービス処理に対する適用例を説明する。なお、図１８〜図２０では、適用箇所の図示のみに省略している。
【０１４２】
図１８は、第２の実施形態のＣＡ代替サービス処理に契約ページ表示処理を適用した例を示すフローチャートである。この図では、図１１のステップＳ２１１４の処理（受信不良画面Ｇ４０を表示する処理）に代えて、本実施形態に係る契約ページ表示処理（ステップＳ２５００）が適用されていることを示している。
【０１４３】
図１９は、第３の実施形態のＣＡ代替サービス処理に契約ページ表示処理を適用した例を示すフローチャートである。この図では、図１４のステップＳ２２１０の処理（受信不良画面Ｇ４０を表示する処理）に代えて、本実施形態に係る契約ページ表示処理（ステップＳ２５００）が適用されている。
【０１４４】
図２０は、第４の実施形態のＣＡ代替サービス処理に契約ページ表示処理を適用した例を示すフローチャートである。この図では、図１５のステップＳ２３０６の処理（受信不良画面Ｇ４０を表示する処理）に代えて、本実施形態に係る契約ページ表示処理（ステップＳ２５００）が適用されている。
【０１４５】
次に、図２１を参照して、本実施形態に係る契約ページ表示処理の動作を説明する。
図２１は、本実施形態に係る契約ページ表示処理の一例を示すフローチャートである。
【０１４６】
（ステップＳ２５０２）制御部２３０（判定部２３１）は、未契約の放送サービスの構成データのＣＡ代替サービスのリンク記述子にＵＲＬの記載があるか否かを判定する。制御部２３０は、このリンク記述子にＵＲＬの記載がないと判定した場合には（ＮＯ）、ステップＳ２５０８に処理を進める。一方、制御部２３０は、このリンク記述子にＵＲＬの記載があると判定した場合には（ＹＥＳ）、ステップＳ２５０４に処理を進める。
【０１４７】
（ステップＳ２５０４）制御部２３０は、ＵＲＬの契約ページを表示できるか否かをバックグランドで確認する。具体的には、制御部２３０は、通信部２２３を介してＵＲＬの契約ページに接続できるか否かを確認することで、ＵＲＬの契約ページを表示できるか否かを確認する。
【０１４８】
（ステップＳ２５０６）制御部２３０は、ステップＳ２５０４の確認結果によりＵＲＬの契約ページの表示が可能であるか否かを判定する。制御部２３０は、ＵＲＬの契約ページの表示が不可能であると判定した場合には、ステップＳ２５０８に処理を進める。
【０１４９】
（ステップＳ２５０８）ステップＳ２５０２においてリンク記述子にＵＲＬの記載がないと判定された場合、またはステップＳ２５０６においてＵＲＬの契約ページの表示が不可能であると判定された場合、制御部２３０（画面制御部２３３）は、「ご案内チャンネル」が受信不可能であることを示す受信不良画面Ｇ４０（図１２参照）を生成し、生成した受信不良画面Ｇ４０を画面合成部２１７を介して表示部２１８に表示させる。
【０１５０】
（ステップＳ２５１０）ステップＳ２５０６において、ＵＲＬの契約ページの表示が可能であると判定された場合、制御部２３０（画面制御部２３３）は、ＵＲＬの契約ページの表示を許可するか否かをユーザに確認するための表示確認画面を生成し、生成した表示確認画面を画面合成部２１７を介して表示部２１８に表示させる。図２２は、この時に表示される表示確認画面の一例を示す図である。図示する表示確認画面Ｇ６０には、この有料チャンネル（番組）を視聴するには契約が必要であることを通知する通知情報Ｋ６０と、契約ページに切り替えることを許可するための操作ボタンＢ６０（「はい」）とが表示される。即ち、表示部２１８には、契約ページを表示することをユーザに確認（即ち、ユーザに契約の意思があるか否かの確認）するための表示確認画面Ｇ６０が表示される。
【０１５１】
（ステップＳ２５１２）制御部２３０（判定部２３１）は、ユーザが契約ページの表示を許可したか否かを判定する。例えば、制御部２３０は、操作入力部２２１から取得した操作信号に基づいて、表示確認画面Ｇ６０の操作ボタンＢ６０が押下されたか否かにより、ユーザが契約ページの表示を許可したか否かを判定する。制御部２３０は、ユーザが契約ページの表示を拒否したと判定した場合、ステップＳ１３２の処理に進み、受信不可処理を実行する。例えば、制御部２３０は、操作ボタンＢ６０が押下されないまま所定の時間以上（例えば、５分以上）経過した場合に、ユーザが契約ページの表示を拒否したと判定し、操作ボタンＢ６０を非表示としてもよい。また、表示確認画面Ｇ６０に操作ボタンＢ６０とは別に、契約ページの表示を拒否するための操作ボタン（例えば、「いいえ」）が表示されてもよい。この場合、制御部２３０は、この拒否するための操作ボタンが押下された場合にユーザが契約ページの表示を拒否したと判定する。
【０１５２】
（ステップＳ２５１４）制御部２３０は、ステップＳ２５１２においてユーザが契約ページの表示を許可したと判定した場合（即ち、操作ボタンＢ６０が押下された場合）、表示確認画面Ｇ６０の出力を停止し、リンク記述子で指定されているＵＲＬの契約ページをブラウザ機能を用いて表示する。図２３は、契約ページが表示された契約ページ画面の一例を示す図である。図示する契約ページ画面Ｇ７０には、チャンネル名や契約料金等の契約案内を示す契約案内情報Ｋ７０と、契約のための入力処理を行う契約入力ページに進むための操作ボタンＢ７０（「次へ」）とが表示されている。
【０１５３】
以上説明したように、本実施形態では、移動元の放送サービス（第１の放送サービスの一例）の放送波に、移動元の放送サービスの契約に関する情報が含まれるリンク先（例えば、契約ページ）を示す情報（例えば、契約ページのＵＲＬ）が含まれる。例えば、移動元の放送サービスの放送波に含まれるリンク記述子に、移動元の放送サービスの契約に関する情報が含まれる契約ページのＵＲＬが含まれる。この場合、切替制御部２３２は、判定部２３１により移動先の放送サービスが受信可能でないと判定された場合、通信ネットワークを介して接続されるリンク先の情報（例えば、契約ページ）に切り替える。
【０１５４】
これにより、受信装置２０は、ＣＡ代替サービスにおいて、選局中の放送サービスが未契約のスクランブル放送サービス（例えば、ＢＳチャンネル）であって、移動先の放送サービス「ご案内チャンネル」（例えば、ＣＳチャンネル）が受信不可能である場合には、「ご案内チャンネル」の代わりに、通信ネットワークを介して接続される契約ページを表示させることができる。よって、受信装置２０は、移動先の放送サービス「ご案内チャンネル」が受信不可能な場合であっても、移動元の放送サービスが契約が必要なチャンネルであることや、契約方法等をユーザに通知することができる。また、受信装置２０は、その通知内容を表示する表示画面（契約ページ）からユーザが契約を容易に行えるようにできる。
【０１５５】
以上、この発明の第１から第３の実施形態を図面を参照して詳述してきたが、具体的な構成はこの実施形態に限られるものではなく、この発明の要旨を逸脱しない範囲の設計等も含まれる。例えば、上述の第１〜５の実施形態において説明した各機能及び構成は、任意に組み合わせることができる。
【０１５６】
上記実施形態では、受信装置２０が表示部２１８を備えたテレビジョン受像機（テレビ）である例を説明したが、受信装置２０は、放送波を受信する機能を備えたＤＶＤ（ディーブイディー）レコーダやＢＤ（ブルーレイディスク）レコーダ等の光ディスクレコーダ、ＨＤＤ（ハードディスク）レコーダ、セットトップボックス等のように表示部２１８を備えていない構成でもよい。つまり、表示部２１８は、受信装置２０と接続される外部の表示装置として構成されてもよい。また、受信装置２０は、放送波を受信する機能を備えたパーソナルコンピュータであってもよい。
【０１５７】
なお、上記実施形態では、各種のデータを伝送するための伝送方式として、ＭＰＥＧ−２  ＴＳ（Ｔｒａｎｓｐｏｒｔ  Ｓｔｒｅａｍ）によるメディアトランスポート方式が用いられる場合を例にしたが、その他の伝送方式、例えば、ＭＭＴ（ＭＰＥＧ  Ｍｅｄｉａ  Ｔｒａｎｓｐｏｒｔ）が用いられてもよい。また、伝送に係るデータ形式、暗号化方式、符号化方式も、その伝送方式で規定された形式または方式が用いられてもよい。
【０１５８】
なお、上述した実施形態における受信装置２０（２０Ａ）の一部または全部の機能をコンピュータで実現するようにしてもよい。その場合、上述の機能を実現するためのプログラムをコンピュータ読み取り可能な記録媒体に記録して、この記録媒体に記録されたプログラムをコンピュータシステムに読み込ませ、実行することによって上述の機能を実現してもよい。なお、ここでいう「コンピュータシステム」とは、端末装置に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよい。
【０１５９】
また、上述した実施形態における受信装置２０（２０Ａ）の一部、または全部を、ＬＳＩ（Ｌａｒｇｅ  Ｓｃａｌｅ  Ｉｎｔｅｇｒａｔｉｏｎ）等の集積回路として実現してもよい。処理部１００（１００Ａ）の各機能ブロックは個別にプロセッサ化してもよいし、一部、または全部を集積してプロセッサ化してもよい。また、集積回路化の手法はＬＳＩに限らず専用回路、または汎用プロセッサで実現してもよい。また、半導体技術の進歩によりＬＳＩに代替する集積回路化の技術が出現した場合、当該技術による集積回路を用いてもよい。
【符号の説明】
【０１６０】
１  デジタル放送システム、１０  送信装置、１１  アンテナ、１５  放送衛星、２０，２０Ａ  受信装置、２５  ＩＣカード、３０  放送設備、３１  アンテナ、３２  ブースター、３３  分配器、３４  ケーブル、３５  コンセント、１１１  番組データ生成部、１１２  構成データ生成部、１１４  多重化部、１１５  送信部、２１１  受信部、２１２  分離部、２１３  デスクランブル部、２１４  音声復号部、２１５  音声出力部、２１６  映像復号部、２１７  画面合成部、２１８  表示部、２２１  操作入力部、２２２  カードＩＦ部、２２３  通信部、２２５  記憶部、２３０，２３０Ａ  制御部、２３１  判定部、２３２  切替制御部、２３３  画面制御部、２３４  選局部、２３５  ブラウザ部
【図１】
2016208365.tif 000003
【図２】
2016208365.tif 000004
【図３】
2016208365.tif 000005
【図４】
2016208365.tif 000006
【図５】
2016208365.tif 000007
【図６】
2016208365.tif 000008
【図７】
2016208365.tif 000009
【図８】
2016208365.tif 000010
【図９】
2016208365.tif 000011
【図１０】
2016208365.tif 000012
【図１１】
2016208365.tif 000013
【図１２】
2016208365.tif 000014
【図１３】
2016208365.tif 000015
【図１４】
2016208365.tif 000016
【図１５】
2016208365.tif 000017
【図１６】
2016208365.tif 000018
【図１７】
2016208365.tif 000019
【図１８】
2016208365.tif 000020
【図１９】
2016208365.tif 000021
【図２０】
2016208365.tif 000022
【図２１】
2016208365.tif 000023
【図２２】
2016208365.tif 000024
【図２３】
2016208365.tif 000025